(57)【要約】【課題】一度に多くの洗濯物を吊り下げても通気性を確保して早く乾燥する物干し具を提供する。【解決手段】Ｈ型フレームを設け、そのフレームにスライドするアームを複数本備え、各アームは洗濯物を挟持したまま左右にスライドし、洗濯物同士の間隔を広げ、通気性を改善した。結果、屋外に限らず、室内干しにおいても、場所を取ることなく、早い乾燥がなされる。【選択図】図１
2015213722.tif 000002
【特許請求の範囲】
【請求項１】
フック掛けする物干し具であって、複数本のアームと、センターフレームを一対のサイドフレームが保持する平面視略Ｈ型を基本とするフレーム構造体と、を有し、前記センターフレームには、該センターフレームと平面視直交する前記アームを水平且つ長手方向に摺動可能に嵌挿するための孔が略等間隔に連設され、前記サイドフレームに略等間隔に設けた複数個のピンチと、前記アームの両端近傍に、該アームの摺動を係止する目的を兼ね備えた固定式ピンチ吊着具及びピンチを配設したことを特徴とする物干し具。
【請求項２】
請求項１に記載の物干し具において、前記平面視略Ｈ型を基本とするフレーム構造体が、平面視略ト形と略逆ト形の一対の半フレーム構造とし、向かい合う基端部が回動可能に軸支されることにより、前記一対のサイドフレームを沿わせるように折り畳んで収納可能であることを特徴とする。
【請求項３】
請求項１又は２に記載の物干し具において、前記アームの摺動を制動するための制動機構が、前記センターフレームの前記孔の周縁部又は前記アームの少なくとも一方に設けられたことを特徴とする。
【請求項４】
請求項１乃至３のいずれかに記載の物干し具において、更に、前記アームの先端部に、該アームの摺動を係止すると共に、該アームの先端部が人の顔や頭に衝突した際のクッションとなる保護部を備えたことを特徴とする。
【請求項５】
請求項１乃至４のいずれかに記載の物干し具において、前記複数本のアーム両翼には、前記固定式ピンチ吊着具及びピンチに代えて、アームの長さ方向に移動可能な移動式ピンチ吊着具及びピンチを少なくとも一対配設し、該一対の移動式ピンチ吊着具は、所望位置で係止する制動機構が設けてあることを特徴とする。
【請求項６】
請求項１乃至５のいずれかに記載の物干し具において、前記複数本のアームには、該アームの長さ方向に自在に移動する複数個の自在式ピンチ吊着具が遊着され、該自在式ピンチ吊着具によって、所望位置にピンチを追加吊設できることを特徴とする。
【発明の詳細な説明】
【技術分野】
【０００１】本発明は、洗濯物をより早く乾かすための物干し具に関するものである。
【背景技術】
【０００２】従来、洗濯物を乾かすために用いられてきたものには、屋内外で使用可能な吊り下げ式の角型ハンガーや、設置型のハンガーラックなど様々である。特に、花粉の飛散や大気汚染の影響で室内干しの機会が増え、屋外だけではなく、室内空間を有効に活用した物干し具が多数用意されている。【０００３】一例として、下記特許文献１にあるような、設置型物干しで、多くの洗濯物を掛けるハンガーを設け、上部空間を有効利用したタイプの物干し具があった。
【先行技術文献】
【特許文献】
【０００４】
【特許文献１】  特開２０１３−１５４１４９号広報
【発明の概要】
【発明が解決しようとする課題】
【０００５】しかしながら、従来の物干し具に多くの洗濯物を吊るすと、洗濯物同士が列状に密集し、通気性が悪化して湿気がこもり、結果として乾燥が遅れる点で問題があった。【０００６】一方で、洗濯物の間隔を広げて干すと、物干し具に干す洗濯物の枚数が減り別の物干し具に分けて干す必要があり、物干し具を設置する場所や掛ける場所が不足する、といった問題点があった。
【課題を解決するための手段】
【０００７】そこで、本発明の物干し具は、フック掛けする物干し具であって、複数本のアームと、センターフレームを一対のサイドフレームが保持する平面視略Ｈ型（又は略エ字形）を基本とするフレーム構造体と、を有し、前記センターフレームには、該センターフレームと平面視直交する前記アームを水平且つ長手方向に摺動可能に嵌挿するための孔が略等間隔に連設され、前記サイドフレームに略等間隔に設けた複数個のピンチと、前記アームの両端近傍に、該アームの摺動を係止する目的を兼ね備えた固定式ピンチ吊着具及びピンチを配設したことを特徴とする。【０００８】この物干し具によると、平面視略Ｈ型を基本とするフレーム構造体により略等間隔つまり洗濯物同士が接触しないような一定間隔でアームが保持され、更にこのアームが、両端のピンチで洗濯物を挟持したまま個別に水平（左右）にスライドするため、密集して洗濯物を干しても、簡単な操作で、洗濯物を一般的な列状から千鳥状などに変更して干すことが可能になり、洗濯物同士の間隔が広がり通気性が増すため、乾燥時間を短縮する効果がある。【０００９】また、各アームの両端又はその付近に、ピンチが固定されているため、アームの摺動によるセンターフレームからの脱抜は防止され、この物干し具が目線より高い位置や、ベランダのような狭い場所に設置されていても、気兼ねなくアームの操作を行える。【００１０】また、本発明の物干し具は、前記平面視略Ｈ型を基本とするフレーム構造体が、平面視略ト形と略逆ト形の一対の半フレーム構造とし、向かい合う基端部が回動可能に軸支されることにより、前記一対のサイドフレームを沿わせるように折り畳んで収納可能であることを特徴とする。【００１１】この物干し具によると、使用しないときは、フレームを二つ折りに畳んでコンパクトに収納することができる。【００１２】また、本発明の物干し具は、前記アームの摺動を制動するための制動機構が、前記センターフレームの前記孔の周縁部又は前記アームの少なくとも一方に設けられたことを特徴とする。【００１３】この干し具によると、アームのスライドには制動機構つまりブレーキのようなものが設けられ、この制動機構には、解除しない限り固定される堅牢なものから、摩擦抵抗を高めたり、単に押さえつけて係止するような弱いものまでが含まれる。これにより、本体の傾きや、微風程度の風で洗濯物が煽られても、アームがスライドすることは無く、所望位置にアームの配置を係止することができる一方で、女性でも意図した力で容易にアームのスライド操作ができる解除可能な制動である。これにより、室内環境だけでなく、屋外においても安定してアームを左右に広げて洗濯物を干すことができ、より乾燥時間を短縮する効果が得られる。【００１４】また、本発明の物干し具は、前記アームの先端部に、該アームの摺動を係止すると共に、該アームの先端部が人の顔や頭に衝突した際のクッションとなる保護部を備えたことを特徴とする。【００１５】更に、本発明の物干し具は、前記複数本のアームの両翼つまり前記センターフレームを中心に左摺動範囲及び右摺動範囲において、前記固定式ピンチ吊着具及びピンチに代わり、アームの長さ方向に移動可能な移動式ピンチ吊着具及びピンチを少なくとも一対配設し、該一対の移動式ピンチ吊着具は、所望位置で係止する制動機構が設けてあることを特徴とする。【００１６】この物干し具によると、保護部をアームの先端に設けたことにより、アームの摺動を係止するストッパーの役目を果たしつつ、人の顔や頭を危険なアームの先端から保護するクッション材となり、安全性を向上する効果がある。また同時に、アームの両端近傍のピンチを固定式から移動式に変更することが可能となる。これにより洗濯物の大きさに合わせてピンチの位置を変えることができ、例えば、ハンドタオルからバスタオルまで大きさや形の異なる洗濯物に対応できるという効果がある。【００１７】更に、移動式ピンチ吊着具は、アームと同様の制動機能が備わっているため、本体の傾きや洗濯物の重さや微風程度の影響で、ピンチの位置がズレ動くことは無いが、女性でも意図した力を加えれば、簡単にスライドを可能とする解除可能な制動機構を備えている。【００１８】また、本発明の物干し具は、前記アームに、該アームの長さ方向に自在に移動する複数個の自在式ピンチ吊着具が遊着され、該自在式ピンチ吊着具によって、所望位置にピンチを追加吊設できることを特徴とする。【００１９】上記発明によると、アームには、固定式ピンチ又は移動式ピンチに加えて、自在式ピンチが追加され、洗濯物の干し方のバリエーションが豊富になる。この自在式ピンチは、アームの摺動に追随しないよう遊着されているため、アームのスライドを阻害することはなく、洗濯物の数や形状に合わせて所望位置にピンチの追加が可能になる。
【発明の効果】
【００２０】本発明の物干し具は、多くの洗濯物を密集して干しても、洗濯物を吊るした状態で、各アームを左右にスライドさせることによって洗濯物同士の間隔を広げ湿気を逃がすため、乾燥時間を短縮できる。
【図面の簡単な説明】
【００２１】
【図１】本発明の第１の実施の形態を示す平面図、（ａ）アームを列状に揃えた状態を示す平面図、（ｂ）アームをスライドさせ、千鳥状に展開した状態を示す平面図
【図２】様々なセンターフレームの構造を示す部分断面図（フレーム構造体とアームのみ表記）（ａ）ソリッド状タイプ、（ｂ）複数の板状部材を並列したタイプ、（ｃ）略コ字形又は略Ｃ型タイプ、（ｄ）略ｍ型タイプ
【図３】様々な固定式ピンチ吊着具を示す部分斜視図、（ａ）ネジタイプ、（ｂ）アームの小孔に取り付けるタイプ、（ｃ）キャップタイプ（ｄ）アーム一体型タイプ
【図４】本発明の第２の実施の形態を示すフレームパターンの省略平面図（フレーム構造体のみ表記）、（ａ）左右の半フレームの基端部が補強されヒンジ部により軸着された状態、（ｂ）図４ａと略同じであるが、軽量化のため補強せずにヒンジ部により軸着された状態、（ｃ）木枠などソリッド状フレームがヒンジ部により軸着された状態
【図５】本発明の第３の実施の形態を示す部分拡大図、（ａ）センターフレームとアームの間に介設したパッキンを示す部分断面図と側面図、（ｂ）センターフレームに設けた爪状突起部を示す部分断面図と側面図、（ｃ）センターフレームの爪状突起部とアームの凹凸部を示す部分断面図と側面図
【図６】本発明の第４の実施の形態に係るスライドストッパー兼アーム先端保護部を示す部分斜視図、（ａ）弾性素材を用いた一例、（ｂ）樹脂や木材を用いた一例
【図７】本発明の第５の実施の形態に係る移動式ピンチ吊着具を示す部分斜視図、（ａ）樹脂タイプ、（ｂ）金属製フックタイプ、（ｃ）ピンチタイプ
【図８】本発明の第６の実施の形態に係る自在式ピンチ吊着具を示す正面図、（ａ）環状タイプ、（ｂ）フックタイプ、（ｃ）着脱自在フックタイプ
【図９】本発明の第１、第２、第３、第４の実施の形態を示す斜視図、（ａ）アームを列状に揃えて洗濯物を干した状態、（ｂ）アームを千鳥状に展開して洗濯物を干した状態
【発明を実施するための形態】
【００２２】以下、本発明の実施の形態を、図に基づいて説明する。
【００２３】（実施の形態１）
図１は、請求項１記載の実施例を示す平面図であり、（ａ）アーム２０を列状に揃えた基本となる型を示した状態と、（ｂ）アーム展開の一例として、各アーム２０を左右にスライドして千鳥状に配置した状態である。この図１ａ、ｂにおいて、本実施の形態の物干し具は、前後一対のサイドフレーム１２と、これにより保持されているセンターフレーム１１からなる平面視略Ｈ型又は略エ字形のフレーム構造体１０の四隅、つまり前後のサイドフレーム１２の両端近傍で、チェーンなどの連結部材１１０を介して上方のフック部１２０に連結されている（図９ａ、ｂも参照）。
【００２４】センターフレーム１１には、複数本のアーム２０がその長手方向にスライド可能に挿設され、両端近傍のピンチ１００によって、洗濯物１３０を挟持する。ピンチ１００を係止する固定式ピンチ吊着具３０は、アーム２０がセンターフレーム１１から抜脱しないよう係止する役目もある。また、サイドフレーム１２には、複数個のピンチ１００が吊着されている（図９ａ、ｂも参照）。
【００２５】平面視略Ｈ型のフレーム構造体１０は、ポリプロピレンなどの合成樹脂で一体成型されたものや、アルミや鉄などの金属フレーム、木製フレームなどが考えられる。更に、サイドフレーム１２とセンターフレーム１１を異なった素材で組み合わせて形成することも可能である。
【００２６】このセンター、つまり中央部が大きく凹んだ平面視略Ｈ型を基本とするフレームを採用したことにより、複数本のスライドするアーム２０が挿設可能となり、一般的な平面視略角形フレームと同様に列状に洗濯物を干す形態（図１ａ、図９ａ参照）に加え、フレームの枠外にアーム２０を伸ばし（図１ｂ、図９ｂ参照）、横方向の空間を最大限に活用して洗濯物１３０の通気性を確保し、より早い乾燥を可能とする。
【００２７】このフレーム構造体１０は、スライドする複数本のアーム２０をセンターフレーム１１で支える構造であるため、ひねりやねじりに対して強い構造が採用される。このセンターフレーム１１には、図２に示すような（ａ）ソリッド状、（ｂ）板状部材を複数併設したものや、断面構造が（ｃ）略コ字形又は略Ｃ型、（ｄ）略ｍ型（ｃ、ｄは、いずれも下方が解放状態）など、強固なフレーム構造が採用される。更に、フレーム構造体１０の補強が必要であれば、アーム２０のスライドを阻害しない範囲で補強部材により適宜補強される。この補強により最終的なフレーム形状が決定される。
【００２８】また、図２ａ、ｂのＬに示すように、アーム２０の長さに対する一定の比率でセンターフレーム１１には嵌入部が必要である。この嵌入部は、センターフレーム１１の素材及び構造により異なるが、一例として、アルミ板材やポリプロピレンなどの合成樹脂を用いた場合、アーム２０の長さの１５乃至２０パーセント程度の嵌入部が好適である。但し、嵌入部が大きくなるほど、アーム２０の安定度は増加するが、スライド幅は減少（洗濯物の重なり部分は拡大）し、嵌入部が小さくなるほど、アーム２０の安定度は減少するが、スライド幅が拡大（洗濯物の重なり部分は減少）するため、フレーム構造体１０の構造やサイズ、素材、対象とする洗濯物の重量等を考慮した設計がなされる。
【００２９】図１ｂの示す状態では、センターフレーム１１の嵌入部下方は、洗濯物１３０が重なり合い、しかも内側に位置するため、アーム２０が左右にせり出した外側に比べてどうしても乾燥が遅れてしまう（図９ｂも参照）。しかし、この干し具は、手間なくアーム２０のスライド操作を行い、左右の洗濯物１３０を移し替えることができる。この操作によって、これまで内側に位置していた部分と外側が入れ替わるため、より早く乾燥を促せる。
【００３０】また、センターフレーム１１に穿設された孔１３は、アーム２０の断面形状と略同形状であり、透孔又は長穴（図２ａ参照）や、複数個の貫通孔（図２ｂ、ｃ、ｄ参照）である。この孔１３によって、各アーム２０の本数は勿論、スライドする水平垂直角度、アーム２０の間隔が決定される。アーム２０は、平面視センターフレーム１１に対して直角、水平に嵌設されるよう、孔１３は横穿且つ連穿される。
【００３１】また、アーム２０の間隔は、洗濯物１３０同士が接触しない間隔、一般的に採用されている６センチ（±１センチ）で設定される。この６センチ幅であれば、図１ｂのようにアーム２０を配置した場合、洗濯物１３０同士の前後の間隔は１２センチ、男性の握り拳１個分の空間が生まれ、通気性が向上して乾燥がより早く促される。
【００３２】アーム２０は、棒状で、ポリプロピレンのような合成樹脂で成型されたものや、アルミパイプ材や被膜鉄パイプ材、鋼線材などであり、断面形状は、略円形状、略角形状、略Ｉ型、略Ｈ型、略Ｔ型のソリッド状であったり、略円形や略角形の中空状のものなど多様であるが、センターフレーム１１の孔１３と略同形状である必要がある。しかし、センターフレーム１１の孔１３とアーム２０の断面形状が、共に円形であれば、アーム２０がセンターフレーム１１の孔１３によって摺動可能であると同時に、回動自在に軸支されることになるため、よりアーム２０のスライド操作は簡便になる。
【００３３】アーム２０の本数は、左右の重量配分を考慮して偶数本が好適であり、前述したように、アーム２０の間隔を６センチ前後とした場合は、小型物干し具で４本、中型で６本、大型で８本が好適であるが、設定は任意である。
【００３４】また、アーム２０の両端近傍の固定式ピンチ吊着具３０によって、ピンチ１００が固定されている。この固定式ピンチ吊着具３０は、図３ａのように、環状部を有するネジ３０ａと袋ナット３０ｂにより、吊り下げ具１０１を介してピンチ１００が吊設されるものや、図３ｂのように、アーム２０に設けられた小孔３０ｃに、吊り下げ具１０１を介してピンチ１００が吊設されるものや、図３ｃのように、アーム２０の先端にキャップ３０ｄと一体的に半環状突起３０ｅが成型され、吊り下げ具１０１を介してピンチが設けたものなどが考えられる。更に、図３ｄのように、アーム２０に半環状突起片３０ｆを一体形成することも可能であるが、アーム２０の一端側からセンターフレーム１１に嵌入するための通過孔１１ｄを設けることが必要である。いずれにしても、前述したように、この固定式ピンチ吊着具３０がストッパーとなって、アーム２０はセンターフレーム１１から抜脱しない。
【００３５】また、アーム２０両端近傍のピンチ１００が洗濯物１３０を挟持する挟持部は、センターフレーム１１の下面又は側面下端縁部の高さより低い位置に設定されることにより、アーム２０のスライドの際に、センターフレーム１１下端縁と洗濯物１３０の上端縁が擦れあうことがない。
【００３６】サイドフレーム１２にも、所望位置にピンチ１００をチェーンなどの吊り下げ具１０１で吊設し得る。この吊設手段には、サイドフレームの下側部に小孔を複数穿設したものや、半環状の突起片を複数突設したものがある。サイドフレーム１２は、本体に加え、掛けられる洗濯物１３０の重量を支える重要な役割を持つ。更に、アーム２０の左右のスライドにより、アーム２０の長手方向に幅が拡大し、重心が変化するため、フック部１２０と連結する連結部材１１０は、サイドフレーム１２の両端近傍で接続し、より安定させることが好適である（図１ｂ、図９ｂ参照）。また、一対のフック部を各サイドフレーム１２中央に設けることも可能である。
【００３７】（実施の形態２）
図４は、請求項２記載の実施例を示す省略平面図である。この物干し具は、実施の形態１に係る物干し具と略同じ構成であるが、平面視略Ｈ型のフレーム構造体１０が左枠１０ａと、右枠１０ｂと、に分離形成されていることに特徴がある。
【００３８】図４ａ、ｂは、合成樹脂で成型されたフレーム構造体１０を示す例示である。図４ａは、一対の半フレームの基端部が補強された状態であり、図４ｂは、図４ａと略同じであるが、軽量化のため補強部を省いたものである。また、図４ｃは、木枠型などソリッド状の素材を用いた際の例示である。それぞれ、左枠１０ａと、右枠１０ｂの相対する基端部が、ヒンジ部５０によって回動可能に軸支されている。回動方向はいずれか一方とし、フック部１２０側、つまり内向きでも、反対の外向きでも構わない。
【００３９】（実施の形態３）
図５は、請求項３記載の実施例を示す部分断面図と部分側面図である。この物干し具は、アーム２０のスライドを制動するための制動機構が、センターフレーム１１の孔１３周縁部又はアーム２０の少なくとも一方に設けられたことを特徴としている。
【００４０】実施の形態１の物干し具は、風などの外的影響の少ない室内に適しており、アーム２０のスライドは特にコントロールされておらず、フリーである。特に、アーム２０とセンターフレーム１１共にアルミ材などの金属を使用した場合、その傾向は強く現れる。そこで、屋外に対応する為に、アーム２０の外周面部とセンターフレーム１１の孔１３周縁部との間に摩擦抵抗を生じさせたり、簡単に解除できる固定ロックにより、アーム２０のスライドにブレーキをかけるものである。
【００４１】方法は図５に示すように、（ａ）アーム２０とセンターフレーム１１との間に、ゴムやシリコンなどのパッキン１１ａを介設したり、（ｂ）センターフレームの孔１３に爪状突起部１１ｂを設けたり、（ｃ）ｂの爪状突起部１１ｂに係合する、凹凸部１１ｃをアーム２０に設けても良い。また、アーム２０又はセンターフレーム１１の少なくとも一方が、合成樹脂で成形されている際は、最も単純な方法として、アーム２０をセンターフレーム１１の孔１３に圧入し、ブレーキのかかった状態で嵌挿すればよい。当然のこととして、いずれも制動の度合いは、本体を傾けてもアーム２０がスライドしない、また弱い風で洗濯物が靡いてもアーム２０がスライドしない程度であり、女性でも意図した力を加えれば解除され、簡単にアーム操作が行えるものとする。
【００４２】（実施の形態４）
図６は、請求項４記載の実施例を示す部分斜視図である。この物干し具は、アーム２０の先端部に、アーム２０のスライドストッパー兼アーム先端保護部４０を備えたことを特徴としている。実施の形態１の物干し具では、固定式ピンチ吊着具３０がストッパーとなって、アーム２０を係止していたが、その代わりとなるキャップ４０を備えている。
【００４３】アーム２０を係止する目的のみを考慮すれば、アーム２０の先端部近傍に何らかの突起を設ければ良い訳で、アルミパイプ材のような金属製のアームであれば、両端をプレスによって変形させるだけでも良いが、アーム２０の先端と、人の顔や頭との衝突が予想されることから、図６ａのように、ゴムやシリコン、エラストマーのような弾性素材か、図６ｂのような、先が尖っていない合成樹脂や木製で形成されている保護部４０を嵌着することが好適である。その目的により、保護部４０は、アーム２０やサイドフレーム１２と異なる着色により目立たせても良い。
【００４４】（実施の形態５）
図７は、請求項５記載の実施例を示す部分斜視図であり、アームの両端近傍に配設した固定式ピンチ吊着具３０及びピンチ１００に代わり、このアーム２０の長さ方向にスライド可能な移動式ピンチ吊着具３１及びピンチ１００が、センターフレームを挟んで左右に少なくとも一対配設されていることを特徴とする。
【００４５】アーム２０両端のピンチ１００挟持部の幅が、普通タオルの短手側長さ程度の小型物干し具は、実施の形態１の固定式ピンチでも特に問題はなく、部品点数を減らしコストダウンを図れるが、同じ幅が、バスタオル短手側長さ程度の大型物干し具の場合、固定式ピンチでは、小さな洗濯物１３０に対応できない。この問題を解決するため、図７に示すような、アーム２０の軸線上を移動可能な吊着具を必要とする。この移動式ピンチ吊着具３１も、アーム２０と同様に制動機能が備わっているため、洗濯物１３０の重さや微風程度の影響で、ピンチの位置がズレ動くことは無いが、女性でも意図した力を加えれば簡単に解除され、スライドを可能とする程度の制動を備えている。
【００４６】具体的には、図７のような、吊り下げ具１０１を吊設するための小孔３１ａを有する、（ａ）アームにある程度の力で圧入されたナイロン、ポリプロピレンなどの合成樹脂で一体成型したタイプ、（ｂ）弾性系の樹脂をチューブ状パッキン３１ｂとして使用した金属製フックタイプ、（ｃ）挟持部を備えアーム２０を掴んで固定するピンチタイプ、などが考えられる。
【００４７】（実施の形態６）
図８は、請求項６記載の実施例を示す部分正面図である。この物干し具は、アーム２０の長さ方向に自在にスライドする複数個の自在式ピンチ吊着具３２によって、所望位置にピンチ１００を追加吊設できることを特徴とする。
【００４８】この自在式ピンチ吊着具３２は、図８ａのような合成樹脂で環状に成型されたものや、図８ｂのような、金属製の環状又はフック状の吊着具であり、いずれも小穴３２ａを有し、アーム２０に対して遊着されている。また図８ｃのように、一端を解放して着脱自在に取り付けても構わない。この吊着具は、アーム２０の軸線上を滑らかに移動可能で、アーム２０のスライドには追随しないものである。またセンターフレーム１１を挟んだアーム２０の左右の両翼に、複数個、この移動式ピンチ吊着具３２のみを吊設しておき、必要に応じてピンチ１００を追加する方が、ピンチ１００が鈴なりに吊られた状態より扱い易い。
【００４９】更に、センターフレームの構造によっては、図２ｂ、ｃ、ｄのように、下面が解放されており、ここに自在式ピンチ吊着具３２を設けておくと、洗濯物１３０の略中間で洗濯物を安定的に挟持できる。仮に、アーム２０が左右にスライドしても、センターフレーム１１の嵌入部の幅に加え、ピンチ１００と吊り下げ具１０１の長さ分の余裕があるため、中間ピンチがアーム２０のスライドを著しく阻害することは無い。
【００５０】（実施の形態７）
図示はしないが、この物干し具の構造は、箪笥やクローゼットの収納レールとして応用が可能である。クローゼット内部にセンターフレーム１１を横設し、両端のピンチに代えてフックを吊設しておく。例えば、手前にシーズンものの洋服をハンガー掛けしておき、奥側にシーズンオフのものを同様に掛けておく。必要な洋服は、使用者が手前にアーム２０のスライド操作を行って取り出すことができる。特に奥行きのあるクローゼットにおいては、スペースを有効に活用することができる。
【００５１】以上本発明の実施の形態について説明したが、本発明は上記の実施の形態に限定されるものではなく、本発明の要旨の範囲内で適宜変更実施可能である。例えば、キャップ４０、固定式ピンチ吊設具３０、移動式ピンチ吊設具３１、自在式ピンチ吊設具３２の組み合わせは、本発明の要旨の範囲内で適宜変更実施可能である。
【符号の説明】
【００５２】１０  フレーム構造体
１１  センターフレーム
１２  サイドフレーム
１３  孔
２０  アーム
３０  固定式ピンチ吊着具
３１  移動式ピンチ吊着具
３２  自在式ピンチ吊着具
４０  キャップ
５０  ヒンジ部
１００  ピンチ
【図１】
2015213722.tif 000003
【図２】
2015213722.tif 000004
【図３】
2015213722.tif 000005
【図４】
2015213722.tif 000006
【図５】
2015213722.tif 000007
【図６】
2015213722.tif 000008
【図７】
2015213722.tif 000009
【図８】
2015213722.tif 000010
【図９】
2015213722.tif 000011